(57)【要約】【課題】セル内の非表示領域内に納めきれない透明電極の引き回し配線を、電食による断線を生じさせることなく、周辺シール材のどこからでもセル外に引き出して配線することができるようにする。【解決手段】透明電極を対向させて周辺シール材２０を介して貼り合わされた一対の透明電極基板１０を含み、透明電極の引き回し配線が周辺シール材２０を潜って透明電極基板１０の端子部１１に引き出されている液晶表示パネルにおいて、周辺シール材２０の外部の全周にわたって絶縁膜３０を形成して、セル内の非表示領域１３内に納めきれない透明電極の引き回し配線を周辺シール材２０のどこからセル外に引き出しても、その外部引き回し配線を絶縁膜３０にて被覆して電食による断線を生じさせないようにする。【選択図】　　図１
2004029636.tif 000002
【特許請求の範囲】
【請求項１】
透明電極を対向させて周辺シール材を介して貼り合わされた一対の透明電極基板を含み、上記透明電極の引き回し配線が周辺シール材を潜って上記透明電極基板の端子部に引き出されている液晶表示パネルにおいて、
上記引き回し配線が、上記周辺シール材の上記端子部側の側辺以外の他の側辺からも上記周辺シール材の外部に引き出されて上記周辺シール材に沿って上記端子部に向けて配線されているとともに、上記周辺シール材の外部には、その全周にわたって絶縁膜が形成されており、上記引き回し配線が上記絶縁膜にて被覆されていることを特徴とする液晶表示パネル。
【請求項２】
上記絶縁膜が、上記透明電極の上に形成される配向膜もしくは中間絶縁膜と同一膜からなる請求項１に記載の液晶表示パネル。
【請求項３】
上記絶縁膜の一部分が、上記周辺シール材の下側にまで入り込んでおり、上記周辺シール材の幅をＷとして、上記周辺シール材に対する上記絶縁膜の入り込み量がＷ／３以下である請求項１または２に記載の液晶表示パネル。
【発明の詳細な説明】
【０００１】
【発明の属する技術分野】
本発明は、液晶表示パネルに関し、さらに詳しく言えば、透明電極の引き回し配線のうち、周辺シール材の外側に引き出される部分の電食を防止する技術に関するものである。
【０００２】
【従来の技術】
液晶表示パネルは、基本的に一対の透明電極基板を周辺シール材を介して圧着してなり、周辺シール材により囲まれたセル内に液晶物質が封入される。多くの場合、セル内の中央部分に表示に寄与する表示領域が割り当てられ、その表示領域の周り（表示領域と周辺シール材との間）は、表示に寄与しない非表示領域とされている。
【０００３】
各透明電極基板の表示領域には透明電極が対向的に配置され、その透明電極に連なる引き回し配線は非表示領域に形成され、周辺シール材の下を潜って透明電極基板の端子部にまで引き出される。引き回し配線は透明電極と同じくＩＴＯ（インジウム・錫酸化物）よりなり、通常は上記のように端子部以外は周辺シール材により密閉されたセル内に配置される。
【０００４】
表示観察面から引き回し配線が見えないようにするため、通常、非表示領域にはブラックマスク（遮光膜）からなる額縁部が設けられるが、一部の機種においては、その額縁部を狭くすることが要求される場合がある。
【０００５】
このような場合には、配線のスペース上、透明電極の引き回し配線を周辺シール材の端子部側の側辺以外の他の側辺からセル外に引き出して端子部に向かわせることになるが、この引き回し配線は、比較的長い範囲にわたって外気に対して剥き出し状態となるため水分や汚れなどが付着しやすく、それに起因する電食によって断線することがある。
【０００６】
【発明が解決しようとする課題】
したがって、本発明の課題は、例えば非表示領域の幅を狭くして狭額縁化などを図るため、透明電極の引き回し配線を周辺シール材の端子部側の側辺以外の他の側辺からセル外に引き出す場合、そのセル外に引き出された引き回し配線の電食を防止することにある。
【０００７】
【課題を解決するための手段】
上記課題を解決するため、本発明は、透明電極を対向させて周辺シール材を介して貼り合わされた一対の透明電極基板を含み、上記透明電極の引き回し配線が周辺シール材を潜って上記透明電極基板の端子部に引き出されている液晶表示パネルにおいて、上記引き回し配線が、上記周辺シール材の上記端子部側の側辺以外の他の側辺からも上記周辺シール材の外部に引き出されて上記周辺シール材に沿って上記端子部に向けて配線されているとともに、上記周辺シール材の外部には、その全周にわたって絶縁膜が形成されており、上記引き回し配線が上記絶縁膜にて被覆されていることを特徴としている。
【０００８】
本発明において、上記絶縁膜は上記透明電極の上に形成される配向膜もしくは中間絶縁膜と同一膜からなることが好ましく、これによれば、既存のパネル生産工程に変更を要することなく、上記絶縁膜を形成することができる。
【０００９】
また、上記絶縁膜の一部分を上記周辺シール材の下側にまで入り込ませてもよい。その場合、上記周辺シール材の幅をＷとして、上記周辺シール材に対する上記絶縁膜の入り込み量をＷ／３以下とすることが好ましい。これによれば、上記周辺シール材の密着性に悪影響をおよぼすことなく、上記周辺シール材際に配線される上記引き回し配線を外気に触れないように良好に被覆することができる。
【００１０】
【発明の実施の形態】
次に、図面を参照しながら、本発明の実施形態について説明する。図１は本発明の液晶表示パネルが備える一対の透明電極基板の内の一方の透明電極基板１０を模式的に示す平面図で、図２は図１の鎖線囲み部分の拡大図である。
【００１１】
透明電極基板１０は、周辺シール材２０を介して図示しない対向透明電極基板と貼り合わせられる。この例において、透明電極基板１０には端子部１１が連設されている。周辺シール材２０は例えばエポキシ系の熱硬化性樹脂からなり、その一つの側辺２１が端子部１１との境界線１１ａに沿うように四角枠状に塗布される。
【００１２】
なお、対向透明電極基板側に周辺シール材２０が塗布されてもよい。また、対向透明電極基板側にも端子部が設けられる場合（すなわち、２方向取り出し型液晶表示パネルの場合）、周辺シール材２０の他の３つの側辺２２〜２４の内の一つが、その対向透明電極基板側の端子部との境界線に沿うように配置される。
【００１３】
周辺シール材２０によって囲まれたセル内に、図示しない液晶物質が封入される。セル内の中央部分に表示に寄与する表示領域（アクティブエリア）１２が割り当てられ、表示領域１２の周り（表示領域１２と周辺シール材２０との間）に表示に寄与しない非表示領域１３が設けられる。
【００１４】
例えば、フルドットマトリクス表示の場合、表示領域１２内には、一方の透明電極基板に例えば走査電極としてストライプ状に形成された透明電極と、他方の透明電極基板に例えば信号電極として上記走査電極と直交する方向にストライプ状に形成された透明電極とが対向的に配置される。
【００１５】
図２に示すように、非表示領域１３に、表示領域１２内の透明電極に連なる引き回し配線（内部配線）ＷＩが通され、この引き回し配線ＷＩは、周辺シール材２０の端子部１１側の側辺２１を潜って端子部１１に引き出される。
【００１６】
図示しないが、通常、非表示領域１３には、表示観察面から引き回し配線ＷＩが見えないようにするため、いわゆる骨見え防止の額縁としてのブラックマスク（遮光膜）が設けられる。
【００１７】
例えば、非表示領域１３の幅を狭くする狭額縁化などの理由により、引き回し配線の本数が非表示領域１３の許容配線本数を超えてしまうような場合には、その一部の引き回し配線を非表示領域１３から周辺シール材２０の外部に引き出して配線しなければならない。
【００１８】
図２に、このような理由により、非表示領域１３から周辺シール材２０の外部に引き出された引き回し配線（外部配線）をＷＯとして示す。図２の例では、引き回し配線ＷＯは３本であり、周辺シール材２０の左側側辺２２の外側に沿って配線されており、最終的には端子部１１に至る。
【００１９】
この外部の引き回し配線ＷＯは外気に晒されるため、電食の原因となる水分や汚れなどが付着しやすい。そこで、本発明では、周辺シール材２０の外部に、その各側辺２１〜２４を含む全周にわたって絶縁膜３０を形成し、この絶縁膜３０によって外部の引き回し配線ＷＯを被覆するようにしている。図３に外部の引き回し配線ＷＯを絶縁膜３０にて被覆した状態の図２のＡ−Ａ線に沿った断面図を示す。
【００２０】
絶縁膜３０は、既存の液晶表示パネル製造工程をそのまま利用して形成できるようにするため、セル内の透明電極上に設けられる中間絶縁膜（ＭＩＣ）もしくはポリイミド配向膜と同一膜からなることが好ましい。膜厚は任意に調整されてよい。
【００２１】
なお、絶縁膜３０を配向膜と同一膜とする場合、配向膜形成用の転写版は、各透明電極基板に対して同一の転写版が適用されるため、図示しない対向透明電極基板側にも、図１と同様なパターンで絶縁膜３０が形成されることになる。
【００２２】
また、図４の拡大断面図を併せて参照して、周辺シール材２０の際に配線される外部の引き回し配線ＷＯａについては、その端の一部を周辺シール材２０の下を通してもよく、これに伴って、絶縁膜３０の一部分を周辺シール材２０の下側にまで入り込ますことができる。
【００２３】
この場合、周辺シール材２０の幅をＷとして、周辺シール材２０に対する絶縁膜３０の入り込み量をＷ／３以下とすることが好ましい。これによれば、周辺シール材２０の密着性をほとんど低下させることなく、周辺シール材２０の際に配線される引き回し配線ＷＯａを外気に触れないように良好に被覆することができる。
【００２４】
絶縁膜３０に配向膜と同一膜を使用する場合には、上述したように図示しない対向透明電極基板側にも、周辺シール材２０の外部全周にわたって絶縁膜３０が形成されるが、絶縁膜３０に配向膜以外の絶縁膜を用い、しかも対向透明電極基板側には外部の引き回し配線ＷＯが存在しない場合には、その対向透明電極基板側にことさら絶縁膜を設ける必要はない。
【００２５】
【発明の効果】
以上説明したように、本発明によれば、一対の透明電極基板を貼り合わせる周辺シール材の外部の全周にわたって絶縁膜を形成するようにしたことにより、セル内の非表示領域内に納めきれない透明電極の引き回し配線を、周辺シール材のどこからセル外に引き出したとしても、電食による断線を生じさせることなく配線することが可能となる。したがって、透明電極の引き回し配線の配線設計の自由度が広げられ、例えば非表示領域の幅を狭くして狭額縁化などを図るうえで有用な効果が奏される。
【図面の簡単な説明】
【図１】本発明の液晶表示パネルが備える一対の透明電極基板の内の一方の透明電極基板を模式的に示す平面図。
【図２】図１の鎖線囲み部分の拡大図。
【図３】図２のＡ−Ａ線に沿った断面図。
【図４】図３の要部拡大断面図。
【符号の説明】
１０　透明電極基板
１１　端子部
１１ａ　端子部の境界線
１２　表示領域
１３　非表示領域
２０　周辺シール材
２１　周辺シール材の端子部側の側辺
２２〜２４　周辺シール材の他の側辺
３０　絶縁膜
ＷＩ　非表示領域内の引き回し配線
ＷＯ　外部の引き回し配線
【図１】
2004029636.tif 000003
【図２】
2004029636.tif 000004
【図３】
2004029636.tif 000005
【図４】
2004029636.tif 000006